(57)【要約】【課題】モジュール押さえ金具の１個１個を取付ける墨出し作業を不要にすると共に、モジュール押さえ金具の施工現場での組立ながらの施工を不要にする。【解決手段】ソーラーパネルを固定するソーラーパネル固定金具において、  内側が中空状の囲み部の上方に所定の角度だけ回転するとソーラーパネルを押圧支持する貫通孔付き押圧固定部とをもって形成されるパネル固定体からなる。また折板屋根材に固着するボルトを突設する固定金具の上面部に内側が中空状の囲み部の上方に所定の角度だけ回転するとソーラーパネルを押圧支持する貫通孔付き押圧固定部からなるパネル固定体を載置し、囲み部と押圧固定部とを貫通し、前記押圧固定部の上方に突出の前記ボルトにナットを螺着するソーラーパネル固定金具である。【選択図】     図１
2011106093.tif 000002
【特許請求の範囲】
【請求項１】
ソーラーパネルを固定するソーラーパネル固定金具において、
内側が中空状の囲み部の上方に所定の角度だけ回転するとソーラーパネルを押圧支持する貫通孔付き押圧固定部とをもって形成されるパネル固定体からなることを特徴とするソーラーパネル固定金具。
【請求項２】
折板屋根材に固着するボルトを突設する固定金具の上面部に内側が中空状の囲み部の上方に所定の角度だけ回転するとソーラーパネルを押圧支持する貫通孔付き押圧固定部からなるパネル固定体を載置し、囲み部と押圧固定部とを貫通し、前記押圧固定部の上方に突出の前記ボルトにナットを螺着することを特徴とするソーラーパネル固定金具。        
【請求項３】
折板屋根材に固着するボルトを突設する固定金具の上面部に載置する貫通孔を有する支承板体に、内側が中空状の囲み部の上方に所定の角度だけ回転するとソーラーパネルを押圧支持する貫通孔付き押圧固定部からなるパネル固定体を載置し、前記支承板体と囲み部と押圧固定部とを貫通し、前記押圧固定部の上方に突出の前記ボルトにナットを螺着することを特徴とするソーラーパネル固定金具。        
【請求項４】
構築物の基礎に固着する架台の上面部にボルトを突設し、且前記架台の上面部に貫通孔を有する支承板体を載置し、前記支承板体の上面に、内側が中空状の囲み部の上方に所定の角度だけ回転するとソーラーパネルを押圧支持する貫通孔付き押圧固定部からなるパネル固定体を載置し、前記支承板体と囲み部と押圧固定部とを貫通し、前記押圧固定部の上方に突出の前記ボルトにナットを螺着することを特徴とするソーラーパネル固定金具。
【請求項５】
折板屋根材に固着するボルトを突設する固定金具の上面部にボルトを貫通させて架台を固着し、前記架台の上面部にボルトを貫通し、前記架台に貫通孔を有する支承板体を載置し、前記支承板体の上面部に、内側が中空状の囲み部の上方に所定の角度だけ回転するとソーラーパネルを押圧支持する貫通孔付き押圧固定部からなるパネル固定体を載置し、前記支承板体と囲み部と押圧固定部とを貫通し、前記押圧固定部の上方に突出の前記ボルトにナットを螺着することを特徴とするソーラーパネル固定金具。        
【請求項６】
折板屋根材に固着するボルトを突設する固定金具の上面部にボルトを突設する架台を固着し、前記架台の上面部に、内側が中空状の囲み部の上方に所定の角度だけ回転するとソーラーパネルを押圧支持する貫通孔付き押圧固定部からなるパネル固定体を載置し、前記囲み部と押圧固定部とを貫通し、前記押圧固定部の上方に突出の前記ボルトにナットを螺着することを特徴とするソーラーパネル固定金具。
【請求項７】
構築物の基礎に固着する架台の上面部にボルトを突設し、且前記架台の上面部に、内側が中空状の囲み部の上方に所定の角度だけ回転するとソーラーパネルを押圧支持する貫通孔付き押圧固定部からなるパネル固定体を載置し、前記囲み部と押圧固定部とを貫通し、前記押圧固定部の上方に突出の前記ボルトにナットを螺着することを特徴とするソーラーパネル固定金具。        
【請求項８】
前記パネル固定体は、囲み部が円筒形状であることを特徴とする請求項１〜７のいずれか１項に記載のソーラーパネル固定金具。
【請求項９】
前記支承板体は、その左側端部と右側端部とが上方に折曲する左折曲部と右折曲部とからなることを特徴とする請求項１〜８のいずれか１項に記載のソーラーパネル固定金具。
【請求項１０】
前記パネル固定体の押圧固定部は、左端部と右端部に夫々下方に左係止部と右係止部を形成することを特徴とする請求項１〜９のいずれか１項に記載のソーラーパネル固定金具。
【請求項１１】
前記パネル固定体の押圧固定部は、平坦状にして、且左端部と右端部が、前端部と後端部の幅員より長いことを特徴とする請求項１〜１０のいずれか１項に記載のソーラーパネル固定金具。
【請求項１２】
前記パネル固定体は、９０度回転すると前記ソーラーパネルを押圧支持し、さらに９０度回転すると前記ソーラーパネルの押圧固定を解除せしめることを特徴とする請求項１〜１１のいずれか１項に記載のソーラーパネル固定金具。
【請求項１３】
折板屋根材のはぜ締め部にボルトを突設する固定金具を所定間隔おきに固着し、前記固定金具の上面部に、貫通孔を有する支承板体を載置し、前記支承板体の上方に、別設する内側が中空状にして、且円筒形状の囲み部の上方に前記囲み部と接続する所定の角度だけ回転するとソーラーパネルを押圧支持する貫通孔付き押圧固定部からなるパネル固定体を載置し、且前記支承板体と前記囲み部と前記押圧固定部を貫通し、前記押圧固定部の上方に突出の前記ボルトとナットを螺着し組立てるソーラーパネル固定金具を載置せしめて、前記固定金具と前記ソーラーパネル固定金具を接着し、前記ソーラーパネル固定金具の囲み部の左右両サイドに前記ソーラーパネルを配置し、前記パネル固定体の押圧固定部をつかみ９０度回転し手指を離すと前記ソーラーパネルの係止部に前記押圧固定部の左係止部と右係止部が嵌挿し、嵌挿後前記ボルトに前記ナットを螺着せしめて前記ソーラーパネルを係止するか、前記パネル固定体の押圧固定部を手指でつかみ９０度回転すると、押圧固定部の左右両端部が前記ソーラーパネルの上面部に載置し、載置後ワッシャーを嵌挿しナットを緊締し、前記押圧固定部の左右両端部が両サイドのソーラーパネルの上面部を押圧保持し施工することを特徴とするソーラーパネルの固定方法。
【請求項１４】
前記請求項１３に記載の支承板体を使用することなくソーラーパネルを押圧保持して施工することを特徴とする請求項１３に記載のソーラーパネルの固定方法。
【請求項１５】
前記請求項１３に記載の固定金具の使用を不要とし、且折版屋根材に代えて基礎とし、前記基礎に架台を固着し、前記架台の上面部に支承板体とパネル固定体とをもって前記パネルを押圧保持し施工することを特徴とする請求項１３に記載のソーラーパネルの固定方法。
【請求項１６】
折板屋根材のはぜ締め部にボルトを突設する固定金具を所定間隔おきに固着し、前記固定金具の上面部に、架台を載置固着し、且前記架台の上面部に貫通孔を有する支承板体を載置し、前記支承板体の上方に、内側が中空状にして、且円筒形状の囲み部の上方に前記囲み部と接続する所定の角度だけ回転するとソーラーパネルを押圧支持する貫通孔付き押圧固定部からなるパネル固定体を載置し、且前記支承板体と前記囲み部と前記押圧固定部を貫通し、前記押圧固定部の上方に突出の前記架台の上面部より突設するボルトとナットを螺着し組立てるソーラーパネル固定金具を載置せしめて、前記架台と前記ソーラーパネル固定金具を接着し、前記ソーラーパネル固定金具の囲み部の左右両サイドに前記ソーラーパネルを配置し、前記パネル固定体の押圧固定部をつかみ９０度回転し手指を離すと前記ソーラーパネルの係止部に前記押圧固定部の左係止部と右係止部が嵌挿し、嵌挿後前記ボルトに前記ナットを螺着せしめて前記ソーラーパネルを係止するか、前記パネル固定体の押圧固定部を手指でつかみ９０度回転すると、押圧固定部の左右両端部が前記ソーラーパネルの上面部に載置し、載置後ワッシャーを嵌挿しナットを緊締し、前記押圧固定部の左右両端部が両サイドのソーラーパネルの上面部を押圧保持し施工することを特徴とするソーラーパネルの固定方法。
【請求項１７】
前記請求項１６に記載の支承板体の使用を不要とし、且前記固定金具と前記架台とソーラーパネル固定金具とをもって前記パネルを押圧保持し施工することを特徴とする請求項１６に記載のソーラーパネルの固定方法。
【請求項１８】
前記請求項１６に記載の固定金具の使用を不要とし、且折版屋根材に代えて基礎とし、前記基礎に架台を固着し、前記架台とパネル固定体とをもって前記パネルを押圧保持し施工することを特徴とする請求項１６に記載のソーラーパネルの固定方法。
【請求項１９】
折板屋根材の頂部に突設するボルトを介して接続金具を接続し、前記接続金具の上方に載置する架台の下面を前記接続金具の上面部に突設するボルトとナットを介して前記接続金具と前記架台を固着し、前記架台の上面に内側が中空状にして、且円筒形状の囲み部の上方に前記囲み部と接続する所定の角度だけ回転するとソーラーパネルを押圧支持する貫通孔付き押圧固定部からなるパネル固定体を載置し、且前記囲み部と前記押圧固定部を貫通し、前記押圧固定部の上方と前記架台の上面より突出するボルトとナットをもって螺着し組立てるソーラーパネル固定金具を載置せしめ接着し、前記ソーラーパネル固定金具の囲み部の左右両サイドに前記ソーラーパネルを配置し、前記パネル固定体の押圧固定部をつかみ９０度回転し手指を離すと前記ソーラーパネルの係止部に前記押圧固定部の左係止部と右係止部が嵌挿し、嵌挿後前記ボルトに前記ナットを螺着せしめて前記ソーラーパネルを係止するか、前記パネル固定体の押圧固定部を手指でつかみ９０度回転すると、押圧固定部の左右両端部が前記ソーラーパネルの上面部に載置し、載置後ワッシャーを嵌挿しナットを緊締し、前記押圧固定部の左右両端部が両サイドのソーラーパネルの上面部を押圧保持し施工することを特徴とするソーラーパネルの固定方法。
【発明の詳細な説明】
【技術分野】
【０００１】
本発明は、施工性及び信頼性の著しく高いソーラーパネル固定金具及び固定方法の分野に関するものである。
【背景技術】
【０００２】
従来建築用パネルにおける太陽電池パネルの設置構造として、特許第３３５２６４７号特許公報が開示されている。
【０００３】
前記特許公報の建築用パネルにおける太陽電池パネルの設置構造の太陽電池パネル１に取着する屋根上取付金具４、長尺部材９及び上金具２０の各部材は、各部材１個１個を施工現場で墨出し作業をして、且施工現場でモジュール押え金具を組立て施工をするため施工が煩雑である。
【０００４】
さらに、従来折版屋根への太陽電池モジュールの取付け構造として、特開２００３−９６９８６公開特許公報が開示されているが、この公報特許公報の太陽電池モジュールの取付け構造も、太陽電池モジュール３を取付け金具２の所定位置に墨出し作業をしながらセットし、セット後は押え部６を雄ネジ棒９に貫通し、貫通後第１ナット１１を螺着して取付け施工をするため施工が煩雑である。
【０００５】
また、太陽電池パネル設置方法として、特願２００４−２０４５１２公開特許公報が開示されている。
【０００６】
前記公開特許公報の太陽電池パネル設置方法において使用の太陽電池パネル３０を押え部２３が前記パネル３０、３０を確実に押さえるために前記パネル３０、３０を所定の位置にセットする墨出し作業を必要とする等施工が煩雑である。
【先行技術文献】
【特許文献】
【０００７】
【特許文献１】特許第３３５２６４７号特許公報
【特許文献２】特開２００３−９６９８６公開特許公報
【特許文献３】特開２００４−２０４５１２公開特許公報
【発明の概要】
【発明が解決しようとする課題】
【０００８】
本発明は、前記背景技術の項において列挙した特許第３３５２６４７号特許公報及び特開２００３−９６９８６公開特許公報並に特願２００４−２０４５１２公開特許公報の発明のように、モジュール押さえ金具の１個１個を取付ける墨出し作業を不要にすると共に、前記モジュール押さえ金具の施工現場での組立ながらの施工を不要にした。
【０００９】
さらに本発明は、折板屋根材もしくは架台を含む構造物の下地材に固着するボルトを突設する固定金具の上面に載置するパネル固定体を、ソーラーパネルの間に介在せしめ、介在後は所定の角度、例えば９０度回転させることによって、前記左右両サイドに載置するソーラーパネルを押圧支持するかもしくは嵌挿し係止せしめるようにした。
そのため、本発明の押圧固定部付きパネル固定体は、墨出しが不要もしくは少々手直しする程度で位置決めが可能で施工性を著しく向上させると共に、ソーラーパネルのずれを防止し、且締めすぎを防止してソーラーパネルの保護を著しくアップせしめた。
また本発明は、本発明のパネル固定体の押圧固定部を、下向きコの字形状もしくは一文字の水平板状にて形成することによって、ソーラーパネルの突起の有無タイプの両方を押圧固定することが可能となり、そのため多様性に優れている。
さらに、本発明は、本発明のパネル固定体の押圧固定部の上部にビード（リブ）を形成して、引張り、滑り強度を向上させると共に、適度な押さえ付けができるようにした。
【課題を解決するための手段】
【００１０】
上記課題を解決するための手段として、請求項１に記載の発明はソーラーパネルを固定するソーラーパネル固定金具において、
内側が中空状の囲み部の上方に所定の角度だけ回転するとソーラーパネルを押圧支持する貫通孔付き押圧固定部とをもって形成されるパネル固定体からなることを特徴とするソーラーパネル固定金具である。
【００１１】
請求項２に記載の発明は、折板屋根材に固着するボルトを突設する固定金具の上面部に内側が中空状の囲み部の上方に所定の角度だけ回転するとソーラーパネルを押圧支持する貫通孔付き押圧固定部からなるパネル固定体を載置し、囲み部と押圧固定部とを貫通し、前記押圧固定部の上方に突出の前記ボルトにナットを螺着することを特徴とするソーラーパネル固定金具である。
【００１２】
請求項３に記載の発明は、折板屋根材に固着するボルトを突設する固定金具の上面部に載置する貫通孔を有する支承板体に、内側が中空状の囲み部の上方に所定の角度だけ回転するとソーラーパネルを押圧支持する貫通孔付き押圧固定部からなるパネル固定体を載置し、前記支承板体と囲み部と押圧固定部とを貫通し、前記押圧固定部の上方に突出の前記ボルトにナットを螺着することを特徴とするソーラーパネル固定金具である。
【００１３】
請求項４に記載の発明は、構築物の基礎に固着する架台の上面部にボルトを突設し、且前記架台の上面部に貫通孔を有する支承板体を載置し、前記支承板体の上面に、内側が中空状の囲み部の上方に所定の角度だけ回転するとソーラーパネルを押圧支持する貫通孔付き押圧固定部からなるパネル固定体を載置し、前記支承板体と囲み部と押圧固定部とを貫通し、前記押圧固定部の上方に突出の前記ボルトにナットを螺着することを特徴とするソーラーパネル固定金具である。
【００１４】
請求項５に記載の発明は、折板屋根材に固着するボルトを突設する固定金具の上面部にボルトを貫通させて架台を固着し、前記架台の上面部にボルトを貫通し、前記架台に貫通孔を有する支承板体を載置し、前記支承板体の上面部に、内側が中空状の囲み部の上方に所定の角度だけ回転するとソーラーパネルを押圧支持する貫通孔付き押圧固定部からなるパネル固定体を載置し、前記支承板体と囲み部と押圧固定部とを貫通し、前記押圧固定部の上方に突出の前記ボルトにナットを螺着することを特徴とするソーラーパネル固定金具である。
【００１５】
請求項６に記載の発明は、折板屋根材に固着するボルトを突設する固定金具の上面部にボルトを突設する架台を固着し、前記架台の上面部に、内側が中空状の囲み部の上方に所定の角度だけ回転するとソーラーパネルを押圧支持する貫通孔付き押圧固定部からなるパネル固定体を載置し、前記囲み部と押圧固定部とを貫通し、前記押圧固定部の上方に突出の前記ボルトにナットを螺着することを特徴とするソーラーパネル固定金具である。
【００１６】
請求項７に記載の発明は、構築物の基礎に固着する架台の上面部にボルトを突設し、且前記架台の上面部に、内側が中空状の囲み部の上方に所定の角度だけ回転するとソーラーパネルを押圧支持する貫通孔付き押圧固定部からなるパネル固定体を載置し、前記囲み部と押圧固定部とを貫通し、前記押圧固定部の上方に突出の前記ボルトにナットを螺着することを特徴とするソーラーパネル固定金具である。
【００１７】
請求項８に記載の発明は、前記パネル固定体に関し、囲み部が円筒形状であることを特徴とする請求項１〜７のいずれか１項に記載のソーラーパネル固定金具である。
【００１８】
請求項９に記載の発明は、前記支承板体が、その左側端部と右側端部とが上方に折曲する左折曲部と右折曲部とからなることを特徴とする請求項１〜８のいずれか１項に記載のソーラーパネル固定金具である。
【００１９】
請求項１０に記載の発明は、前記パネル固定体の押圧固定部は、左端部と右端部に夫々下方に左係止部と右係止部を形成することを特徴とする請求項１〜９のいずれか１項に記載のソーラーパネル固定金具である。
【００２０】
請求項１１に記載の発明は、前記パネル固定体の押圧固定部に関し、平坦状にして、且左端部と右端部が、前端部と後端部の幅員より長いことを特徴とする請求項１〜１０のいずれか１項に記載のソーラーパネル固定金具である。
【００２１】
請求項１２に記載の発明は、前記パネル固定体が、９０度回転すると前記ソーラーパネルを押圧支持し、さらに９０度回転すると前記ソーラーパネルの押圧固定を解除せしめることを特徴とする請求項１〜１１のいずれか１項に記載のソーラーパネル固定金具である。
【００２２】
請求項１３に記載の発明は、折板屋根材のはぜ締め部にボルトを突設する固定金具を所定間隔おきに固着し、前記固定金具の上面部に、貫通孔を有する支承板体を載置し、前記支承板体の上方に、別設する内側が中空状にして、且円筒形状の囲み部の上方に前記囲み部と接続する所定の角度だけ回転するとソーラーパネルを押圧支持する貫通孔付き押圧固定部からなるパネル固定体を載置し、且前記支承板体と前記囲み部と前記押圧固定部を貫通し、前記押圧固定部の上方に突出の前記ボルトとナットを螺着し組立てるソーラーパネル固定金具を載置せしめて、前記固定金具と前記ソーラーパネル固定金具を接着し、前記ソーラーパネル固定金具の囲み部の左右両サイドに前記ソーラーパネルを配置し、前記パネル固定体の押圧固定部をつかみ９０度回転し手指を離すと前記ソーラーパネルの係止部に前記押圧固定部の左係止部と右係止部が嵌挿し、嵌挿後前記ボルトに前記ナットを螺着せしめて前記ソーラーパネルを係止するか、前記パネル固定体の押圧固定部を手指でつかみ９０度回転すると、押圧固定部の左右両端部が前記ソーラーパネルの上面部に載置し、載置後ワッシャーを嵌挿しナットを緊締し、前記押圧固定部の左右両端部が両サイドのソーラーパネルの上面部を押圧保持し施工することを特徴とするソーラーパネルの固定方法である。
【００２３】
請求項１４に記載の発明は、前記支承板体を使用することなくソーラーパネルを押圧保持して施工することを特徴とする請求項１３に記載のソーラーパネルの固定方法である。
【００２４】
請求項１５に記載の発明は、前記固定金具の使用を不要とし、且折版屋根材に代えて基礎とし、前記基礎に架台を固着し、前記架台の上面部に支承板体とパネル固定体とをもって前記パネルを押圧保持し施工することを特徴とする請求項１３に記載のソーラーパネルの固定方法である。
【００２５】
請求項１６に記載の発明は、折板屋根材のはぜ締め部にボルトを突設する固定金具を所定間隔おきに固着し、前記固定金具の上面部に、架台を載置固着し、且前記架台の上面部に貫通孔を有する支承板体を載置し、前記支承板体の上方に、内側が中空状にして、且円筒形状の囲み部の上方に前記囲み部と接続する所定の角度だけ回転するとソーラーパネルを押圧支持する貫通孔付き押圧固定部からなるパネル固定体を載置し、且前記支承板体と前記囲み部と前記押圧固定部を貫通し、前記押圧固定部の上方に突出の前記架台の上面部より突設するボルトとナットを螺着し組立てるソーラーパネル固定金具を載置せしめて、前記架台と前記ソーラーパネル固定金具を接着し、前記ソーラーパネル固定金具の囲み部の左右両サイドに前記ソーラーパネルを配置し、前記パネル固定体の押圧固定部をつかみ９０度回転し手指を離すと前記ソーラーパネルの係止部に前記押圧固定部の左係止部と右係止部が嵌挿し、嵌挿後前記ボルトに前記ナットを螺着せしめて前記ソーラーパネルを係止するか、前記パネル固定体の押圧固定部を手指でつかみ９０度回転すると、押圧固定部の左右両端部が前記ソーラーパネルの上面部に載置し、載置後ワッシャーを嵌挿しナットを緊締し、前記押圧固定部の左右両端部が両サイドのソーラーパネルの上面部を押圧保持し施工することを特徴とするソーラーパネルの固定方法である。
【００２６】
請求項１７に記載の発明は、前記支承板体の使用を不要とし、且前記固定金具と前記架台とソーラーパネル固定金具とをもって前記パネルを押圧保持し施工することを特徴とする請求項１６に記載のソーラーパネルの固定方法である。
【００２７】
請求項１８に記載の発明は、前記固定金具の使用を不要とし、且折版屋根材に代えて基礎とし、前記基礎に架台を固着し、前記架台とパネル固定体とをもって前記パネルを押圧保持し施工することを特徴とする請求項１６に記載のソーラーパネルの固定方法である。
【００２８】
請求項１９に記載の発明は、折板屋根材の頂部に突設するボルトを介して接続金具を接続し、前記接続金具の上方に載置する架台の下面を前記接続金具の上面部に突設するボルトとナットを介して前記接続金具と前記架台を固着し、前記架台の上面に内側が中空状にして、且円筒形状の囲み部の上方に前記囲み部と接続する所定の角度だけ回転するとソーラーパネルを押圧支持する貫通孔付き押圧固定部からなるパネル固定体を載置し、且前記囲み部と前記押圧固定部を貫通し、前記押圧固定部の上方と前記架台の上面より突出するボルトとナットをもって螺着し組立てるソーラーパネル固定金具を載置せしめ接着し、前記ソーラーパネル固定金具の囲み部の左右両サイドに前記ソーラーパネルを配置し、前記パネル固定体の押圧固定部をつかみ９０度回転し手指を離すと前記ソーラーパネルの係止部に前記押圧固定部の左係止部と右係止部が嵌挿し、嵌挿後前記ボルトに前記ナットを螺着せしめて前記ソーラーパネルを係止するか、前記パネル固定体の押圧固定部を手指でつかみ９０度回転すると、押圧固定部の左右両端部が前記ソーラーパネルの上面部に載置し、載置後ワッシャーを嵌挿しナットを緊締し、前記押圧固定部の左右両端部が両サイドのソーラーパネルの上面部を押圧保持し施工することを特徴とするソーラーパネルの固定方法である。
【発明の効果】
【００２９】
請求項１記載の発明は、ソーラーパネルを固定するソーラーパネル固定金具において、内側が中空状の囲み部の上方に所定の角度だけ回転するとソーラーパネルを押圧支持する貫通孔付き押圧固定部とをもって形成されるパネル固定体からなるソーラーパネル固定金具なので、固定金具の上面に載置するパネル固定体と並列せしめたソーラーパネル間に介在し、介在後前記パネル固定体を若干持上げ所定の角度だけ回転すると、前記パネル固定体の押圧固定部が、前記左右両サイドのソーラーパネルの上面部もしくはソーラーパネルの裏面部に取着し、ソーラーパネルの側縁部より外側方に突設するパネル取付け部の係止部に嵌挿し、突設するボルト等を螺入し、緊締することによって、墨出し不要で位置決めが可能となる。そのため本発明は施工性の向上に多いに役立つ利点を有している。
さらに本発明は、前記押圧固定部付きパネル固定体によるソーラーパネルを押圧固定するので、ソーラーパネルのずれを確実に防止し、締めすぎが防止できるので、ソーラーパネルを十分に保護できる利点を有している。
また本発明のパネル固定体は、押圧固定部を下向きコの字形状もしくは一文字の形状のタイプのものを使用することができるので、ソーラーパネルに係止用突起があるタイプとないタイプとに使用できる。そのため本発明は、メーカー毎に異なるソーラーパネルの形状に対応できる多様性にすぐれた利点がある。
【００３０】
請求項２〜７に記載の発明は、前記請求項１に記載の発明の効果と同じ効果を有している。
【００３１】
請求項８に記載の発明は、前記パネル固定体ｄの囲み部４が円筒形状をしているソーラーパネル固定金具なので、請求項１に記載の発明と同じ効果を有している。
【００３２】
請求項９に記載の発明は、前記支承板体ｂの左側端部８と右側端部９とが上方に折曲する左折曲部１０と右折曲部１１とからなるソーラーパネル固定金具なので、請求項１に記載の発明と同じ効果を有している。
【００３３】
請求項１０に記載の発明は、前記パネル固定体ｄの押圧固定部６が、左端部１２と右端部１３に夫々下方に折曲する左係止部１４と右係止部１５を形成するソーラーパネル固定金具なので、請求項１に記載の発明と同じ効果を有している。
【００３４】
請求項１１に記載の発明は、前記パネル固定体ｄの押圧固定部６が、平坦状にして、且左端部１２と右端部１３が、前端部１６と後端部１７の幅員より長いソーラーパネル固定金具なので、請求項１に記載の発明と同じ効果を有している。
【００３５】
請求項１２に記載の発明は、前記パネル固定体ｄが、９０度回転すると前記ソーラーパネル１０を押圧支持し、さらに９０度回転すると前記ソーラーパネル１０の押圧固定を解除せしめるソーラーパネル固定金具なので、請求項１に記載の発明と同じ効果を有している。
【００３６】
請求項１３に記載の発明は、折板屋根材ｓのはぜ締め部２２にボルト１を突設する固定金具ａを所定間隔おきに固着し、前記固定金具ａの上面部２に、貫通孔３を有する支承板体ｂを載置し、前記支承板体ｂの上方に、別設する内側が中空状にして、且円筒形状の囲み部４の上方に前記囲み部と接続する所定の角度だけ回転するとソーラーパネルｃを押圧支持する貫通孔５付き押圧固定部６からなるパネル固定体ｄを載置し、且前記支承板体ｂと前記囲み部４と前記押圧固定部６を貫通し、前記押圧固定部６の上方に突出の前記ボルト１とナット７を螺着し組立てるソーラーパネル固定金具を載置せしめて、前記固定金具ａと前記ソーラーパネル固定金具を接着し、前記ソーラーパネル固定金具の囲み部４の左右両サイドに前記ソーラーパネルｃを配置し、前記パネル固定体ｄの押圧固定部６をつかみ９０度回転し手指を離すと前記ソーラーパネルｃの係止部３６に前記押圧固定部６の左係止部１４と右係止部１５が嵌挿し、嵌挿後前記ボルト１に前記ナット７を螺着せしめて前記ソーラーパネルｃを係止するか、前記パネル固定体ｄの押圧固定部６を手指でつかみ９０度回転すると、押圧固定部６の左右両端部１２、１３が前記ソーラーパネルｃ、ｃの上面部に載置し、載置後ワッシャー７ｂを嵌挿しナット７を緊締し、前記押圧固定部６の左右両端部１２、１３が両サイドのソーラーパネルｃ、ｃの上面部を押圧保持し施工することを特徴とするソーラーパネルの固定方法なので、墨出しが不要もしくは少々の手直し程度で位置決めが可能で、且施工性を著しく向上せしめると共に、ソーラーパネルのずれを防止し、且締めすぎも防止してソーラーパネルの保護を著しくアップせしめることができる利点がある。
【００３７】
請求項１４〜１９に記載の発明は、前記請求項１３に記載の発明の効果と同じ効果を有している。
【図面の簡単な説明】
【００３８】
【図１】本発明ソーラーパネル固定金具がソーラーパネルの間に配置している状態を示す一部切欠斜視図である。
【００３９】
【図２】図１のソーラーパネル固定金具がソーラーパネルの係止部に嵌挿した状態を示す一部切欠斜視図である。
【００４０】
【図３】同金具が折板屋根のはぜ締め部に嵌着した固定金具を介してソーラーパネルを引掛ける直前の状態を示す一部切欠正面図である。
【００４１】
【図４】図３の状態からパネル固定体の押圧固定部が左右両サイドに配置したソーラーパネルを係止している状態の一部切欠正面図である。
【００４２】
【図５】同ソーラーパネル固定金具とパネル固定体とを組立てた正面図である。
【００４３】
【図６】図５のソーラーパネル固定金具とパネル固定体の組立てた状態の右側面図である。
【００４４】
【図７】同パネル固定体がソーラーパネルの間に配置している状態の正面図である。
【００４５】
【図８】図７のパネル固定体を９０度回転しソーラーパネルに嵌挿し組立てられた状態を示す右側面図である。
【００４６】
【図９】同パネル固定体の縦断正面図である。
【００４７】
【図１０】同パネル固定体の平面図である。
【００４８】
【図１１】同パネル固定体の正面図である。
【００４９】
【図１２】同パネル固定体の底面図である。
【００５０】
【図１３】同ソーラーパネル固定金具の第２実施例の使用状態を示す一部切欠正面図である。
【００５１】
【図１４】同図１３の固定金具を左側方よりみた状態を一部切欠左側面図である。
【００５２】
【図１５】同パネル固定体の第２実施例の正面図である。
【００５３】
【図１６】同図１５のパネル固定体を９０度回転した状態を示す図である。
【００５４】
【図１７】同図１５のパネル固定体の縦断面図である。
【００５５】
【図１８】同パネル固定体の第２実施例の平面図である。
【００５６】
【図１９】同パネル固定体の第２実施例の正面図である。
【００５７】
【図２０】図１８、１９のパネル固定体の底面図である。
【００５８】
【図２１】同固定金具の平面図である。
【００５９】
【図２２】同固定金具の正面図である。
【００６０】
【図２３】同固定金具の左側面図である。
【００６１】
【図２４】同固定金具の縦断正面図である。
【００６２】
【図２５】同固定金具に突設ボルトの頭部を嵌挿せしめるアダプターの正面、平面、右側面からみたアダプターを示す図である。
【００６３】
【図２６】同ソーラーパネル固定金具を構成する固定金具の上面に載置する支承板体の平面図である。
【００６４】
【図２７】同支承板体の正面図である。
【００６５】
【図２８】同支承板体の右側面図である。
【００６６】
【図２９】同ソーラーパネル固定金具を架台上に固着しソーラーパネルを押圧支持している状態の一部切欠正面図である。
【００６７】
【図３０】同図２９の状態を平面よりみた状態の一部切欠平面図である。
【００６８】
【図３１】図３０のソーラーパネル固定金具の使用状態を示す一部切欠正面図である。
【図３２】同支承板体を使用しないソーラーパネル固定金具を組立てる以前の正面図である。
【図３３】図３２のソーラーパネル固定金具の使用状態を示す一部切欠正面図である。
【図３４】同支承板体を使用するソーラーパネル固定金具を組立てる以前の正面図である。
【図３５】図３４のソーラーパネル固定金具の使用状態を示す一部切欠正面図である。
【図３６】同基礎に固定の架台にセットするソーラーパネル固定金具を組立てる以前の正面図である。
【図３７】図３６のソーラーパネル固定金具の使用状態を示す一部切欠正面図である。
【図３８】同固定金具を架台とする支承板体とソーラーパネル固定金具を組立てる以前の正面図である。
【図３９】図３８のソーラーパネル固定金具の使用状態を示す一部切欠正面図である。
【図４０】同固定金具と架台とソーラーパネル固定金具を組立てる以前の正面図である。
【図４１】図４０のソーラーパネル固定金具の使用状態を示す一部切欠正面図である。
【図４２】同基礎に固定した架台とソーラーパネル固定金具を組立てる以前の正面図である。
【図４３】図４２のソーラーパネル固定金具の使用状態を示す一部切欠正面図である。
【発明を実施するための最良の形態】
【００６９】
本発明のソーラーパネル固定金具及び固定方法の好適な実施形態を、以下図面にしたがって説明する。なお、請求項１〜１９記載の発明に関する実施の形態は共通しているので、以下のとおり一括して説明する。
【００７０】
本発明のソーラーパネル固定金具は、支承板体ｂとパネル固定体ｄとから構成されている。そしてこの固定金具は、折板屋根材ｓもしくは架台ｅを含む構築物の基礎ｋもしくは、折板屋根材ｓのはぜ締め部２２に固着する固定金具ａと接着して使用する（図３２〜図４３）。
【００７１】
そして本発明は、前記３つの構成部材である支承板体ｂとパネル固定体ｄと固定金具ａを、図３２〜図４３のように夫々組合せてソーラーパネルｃを接続し施工するものである。
【００７２】
以下によって、前記ソーラーパネル固定金具の各構成部材の実施形態を図面にもとづき説明する。
【００７３】
ｓはタイトフレームＦによって支持されている折板屋根材である。
【００７４】
ａは既設もしくは新設する折板屋根材ｓのはぜ締め部２２に所定間隔おきにボルト１ａを介して緊締する固定金具である。
【００７５】
この金具ａは、図３、４、５、６・・・に図示されているように、左側挾着部２０と右側挾着部２１を対向させ、内側部にはぜ締め部２２を挿入する凹部２３、２４を有し且前記左右両側挾着部２０、２１の上方部に設けられた嵌挿孔２５、２６に貫通する頭部付き六角ボルト１ａを水平に貫通せしめ、ワッシャー７ｂとナット７ａをもって前記両挾着部２０、２１を緊締する。
【００７６】
そして前記両挾着部２０、２１の上面部に固定用板部３３を取着する。
【００７７】
前記固定金具ａには、中央に垂直状に立設するボルト１を取着するが、前記ボルト１の頭部１ｂは、前記両挾着部２０、２１の内側の嵌挿孔２５、２６を形成する内側支持部２７、２８間に、前記ボルト１を貫通する貫通孔３０を形成した断面П形状のアダプター２９を嵌挿する。このアダプター２９の嵌挿時は、前記貫通孔３０を上方にする。さらに前記ボルト１は、前記アダプター２９の貫通孔３０を貫通するとき、前記内側支持部２７、２８の上方に形成されている間隙部３１、３２を貫通し突設する。
【００７８】
前記の構成からなる固定金具ａは、ナット７ａをゆるめ前記折板屋根材ｓのはぜ締め部２２を前記固定金具ａの凹部２３、２４内に嵌挿し、前記はぜ締め部２２の所定個所に挾着する。
【００７９】
つぎに前記支承板体ｂの実施形態につき説明する。
【００８０】
この支承板体ｂは、中央に前記ボルト１を貫通せしめる貫通孔３を有し、前記固定金具ａの上面部２に載置しソーラーパネルｃを支承するものである。
【００８１】
前記支承板体ｂの左側端部８には、上方に折曲する左折曲部１０を、右側端部９には、上方に折曲する右折曲部１１とを形成する。
【００８２】
さらに前記支承板体ｂは、通常平坦にして板状にて形成する。
【００８３】
そしてこの支承板体ｂの前方端部には、下方に折曲し、且内側方に折曲する係止部１０ａを形成する。
【００８４】
さらに前記支承板体ｂの左右両折曲部１０、１１間の幅員は、後述のソーラーパネルｃの周囲部から裏面部にかけて取付けている支持枠部３４の中、裏面部に廻り込み取着する支持枠部３４より若干長く形成する。前記のように長く形成することによって、ソーラーパネルｃのスライドを阻止できる。
【００８５】
前記支承板体ｂの貫通孔３に、前記固定金具ａのボルト１を貫通するが、その際前記左右両折曲部１０，１１を上方向きにする。
【００８６】
つぎにソーラーパネルｃにつき説明する。
【００８７】
このパネルｃは、各メーカーにより、取り付け部材が相違している。そのため以下に説明するパネル固定体ｄの構成も対応した構成にしている。
【００８８】
３６はソーラーパネルｃの支承枠部３４の側面部３５に突設する係止部であり、以下に説明するパネル固定体ｄと嵌合し係止する。
【００８９】
また各メーカーによって前記ソーラーパネルｃに係止部がない支持枠部３４もある。
【００９０】
ｄは前記支承板体ｂの上方に回転がスムーズな形状のソーラーパネルｃを支持固定するパネル固定体であり、その具体的構成は以下のとおりである。
【００９１】
前記パネル固定体ｄの高さは、底部６ａが開口状にして、且内側が中空状にして、且円筒状の囲み部４と、前記囲み部４の上方に所定の角度だけ回転するとソーラーパネルｃを押圧支持し、且貫通孔５を有する押圧固定部６が前記囲み部４と一体となって形成されている。
【００９２】
そして、前記押圧固定部６は、左端部１２と右端部１３が夫々下方に折曲する左係止部１４と右係止部１５を形成する。そして前記左右両係止部１４、１５は、対称的に形成されている。
【００９３】
さらに、前記パネル固定体ｄの押圧固定部６は、平坦状にして、且左端部１２と右端部１３が、前端部１６と後端部１７の幅員より長く形成されている。
【００９４】
また、前記パネル固定体ｄの押圧固定部６より底部６ａまでの囲み部４の径は通常同一とする。
【００９５】
そのため、囲み部４が、いわゆる筒形状をしているので、上方の押圧固定部６を手指でつかみ回転させると、前記ソーラーパネルｃ、ｃの間に配置する囲み部４を含むパネル固定体ｄが前記押圧固定部６と一体となって上昇し、つかんでいる手指を離せばストーンと前記ソーラーパネルｃ、ｃの間に落下する形態を有している。
【００９６】
すなわち、前記パネル固定体ｄは、手指でつかみ９０度回転すると前記押圧固定部６の両係止部１４、１５が前記ソーラーパネルｃの係止部３６に嵌挿し、前記パネルｃを押圧支持し、さらに前記固定体ｄを手指でつかみ上昇させ９０度回転すると前記ソーラーパネル１０の押圧固定を解除せしめる形態を有している。
【００９７】
さらに、本発明のパネル固定体ｄの第２実施例（図１５〜図２０）の形態を説明すると以下のとおりである。
【００９８】
第２実施例のパネル固定体ｄが第１実施例のパネル固定体ｄと相違している点は、押圧固定部６の左右両端部１２、１３が下方に折曲する左右両係止部１４、１５がなく、フラット状である。
【００９９】
さらに、前記左右両端部１２、１３の幅員が、前端部１６と後端部１７の幅員よりも長く形成されている。
【０１００】
第２実施例のパネル固定体ｄも、囲み部４と、その囲み部４の上部に押圧固定部６を一体に形成されている。そして前記押圧固定部４の中央部に
、前記ボルト１が貫通する貫通孔５を有し、このボルト１は貫通孔５より飛出している。
【０１０１】
前記第２実施例のパネル固定体ｄも、前記第１実施例のパネル固定体ｄと同じく、固定金具ａより突設するボルト１を囲み部４の内側を貫通させ、且押圧固定部６の貫通孔５より飛出させる。
【０１０２】
上記のように第２実施例のパネル固定体ｄも、前記固定金具ａの上方に支承板体ｂを載置し、この支承板体ｂの上方に前記パネル固定体ｄを載置する。そして前記囲み部４の左右両サイドにソーラーパネルｃを配置する。
【０１０３】
しかる後、前記押圧固定部６を手指でつかみ所定の角度例えば９０度だけ回転すると、押圧固定部６の左右両端部１２、１３が前記ソーラーパネルｃ、ｃの上面部に載置し、載置後ワッシャー７ｂを嵌挿しナット７をもって緊締すれば、前記押圧固定部６の左右両端部１２、１３が両サイドのソーラーパネルｃ、ｃの上面部を押圧保持する。
【０１０４】
前記第１実施例のパネル固定体ｄも、前記したとおり、押圧固定部６を手指でつかみ上方へ持上げ９０度だけ回転し、手指を離すと、ソーラーパネルｃ、ｃの係止部３６に嵌合する。そしてパネル固定体ｄ内を貫通するボルト１にワッシャー７ｂを嵌挿し、ナット７をもって緊締する。その結果ソーラーパネルｃ、ｃは、本発明のソーラーパネル固定金具によって確実に固定される。
【０１０５】
また、本発明の固定金具は、前記ボルト１に緊締のナット７を螺戻すれば、前記のとおり係止されていたソーラーパネルｃ、ｃを容易に取外し交換ができる。そのため作業が極めて簡単且迅速にできる。
【０１０６】
さらに、本発明のソーラーパネル固定金具は、下方に位置する固定金具ａが、例えば既設の折板屋根材ｓのはぜ締め部２２に所定の間隔おきに固着するので、墨出しが不要にして、位置決めをすることができる。
【０１０７】
また前記パネル固定体ｄの押圧固定部６の内側方にビード６ｂを形成しているので、本発明の固定金具の引張り、滑り強度面が著しく向上し、適度な押え付けを確保に保持できる利点がある。
【０１０８】
さらに本発明のソーラーパネルの固定方法は下記のとおり複数のパターンがある。
【０１０９】
第１に、折板屋根材ｓのはぜ締め部２２に固定金具ａを固着し、固着した前記固定金具ａの上方にソーラーパネルｃを支持する支承板体ｂをボルト１を貫通せしめて載置する。
【０１１０】
そして、前記支承板体ｂの上方に押圧固定部６と一体の円筒状の囲み部４からなるパネル固定体ｄを載置し、その際ボルト１を前記囲み部４の内側と押圧固定部６の貫通孔５を貫通せしめ、前記囲み部４の左右両サイドにソーラーパネルｃを配置する。
【０１１１】
前記のようにソーラーパネルｃの間に介在している前記囲み部４上方の押圧固定部６を手指でつかみ９０度回転すると、前記押圧固定部６の両端部に折曲状左係止部１４と右係止部１５が、前記パネルｃの係止部３６に嵌挿し係止する。
【０１１２】
以上が第１のソーラーパネルの固定方法のバリエーションである。
【０１１３】
つぎに第２のバリエーションは下記のとおりである。
【０１１４】
前記第１のソーラーパネルｃの固定方法と若干異なり、図３２、３３に図示されているように、支承板体ｂを使用しない固定方法である。
【０１１５】
従って、前記支承板体ｂを使用しなくても、前記ソーラーパネルｃを確実に押圧固定することができる。
【０１１６】
さらにソーラーパネルの固定方法の第３のバリエーションは下記のとおりである。
【０１１７】
前記第１、第２のバリエーションと異なり、固定金具ａを使用せずに折板屋根材ｓを不要とし、且前記固定金具ａも使用することなく、基礎ｋにボルト３７ａとナット３８ａ等を介して架台ｅを固着し支承板体ｂとパネル固定体ｄとをもってソーラーパネルｃを押圧固定する施工方法である（図３６、３７）。
【０１１８】
すなわち、基礎ｋに架台ｅをボルト３７ａとナット３８ａと平座３９ａをもって固着する。そして前記架台ｅの上面部にボルト４０を貫通して、前記架台ｅｎ上面部に支承板体ｂをボルト４０を貫通し載置する。そして前記架台ｅの上面部に押圧固定部６付き囲み部４からなるパネル固定体ｄを載置し、前記突出のボルト４０を前記囲み部４内を貫通せしめ、且前記固定部６の貫通孔５より突出し、前記囲み部４の左右両サイドにソーラーパネルｃを配置する。そして前記押圧固定部６を９０度回転させて、前記押圧固定部６によって前記ソーラーパネルｃを係止もしくは押圧保持せしめ、前記ボルト４０にナット４１と平座４２等を挿入し螺着せしめる。
【０１１９】
以上が第３のソーラーパネルｃの固定方法である。
【０１２０】
第４のソーラーパネルｃの固定方法を説明する。
【０１２１】
この固定方法は、図３８、３９に図示されているとおりである。
【０１２２】
すなわち、折版屋根材ｓに固着の固定金具ａの上方部に架台ｅの下方部をボルト１とナット７等をもって接続する。そして前記架台ｅの上面部にボルト４０を突設し、支承板体ｂを貫通して載置する。そして前記支承板体ｂの上方部にパネル固定体ｄを載置し、ナット４１等をもって接続する。その後の手順は、前記各バリエーションと同じである。従って具体的説明は省略する。
【０１２３】
第５のバリエーションのソーラーパネルｃを固定する方法は、図４０、４１のように支承板体ｂを使用せずに、固定金具ａと架台ｅとパネル固定体ｄとをもって組立て施工するものである。従って具体的な施工手順は、前記のバリエーションと同じなので具体的説明は省略する。
【０１２４】
第６のバリエーションのソーラーパネルｃを固定する方法は、図４２、４３のように支承板体ｂと固定金具ａを使用せずに、基礎ｋに架台ｅを固着し、架台ｅとパネル固定体ｄとをもって組立て施工するものである。従って具体的な施工手順は、前記のバリエーションと同じなので具体的説明は省略する。
【０１２５】
つぎに第７のバリエーションは、下記のとおりである。
【０１２６】
折板屋根材ｓの上方部に、既存の前記折板屋根材ｓのボルトを利用し、重ね合せる接続金具ｇを固着し、且前記接続金具ｇの左右両サイドに突設するボルト３７に架台ｅを載置し、前記架台ｅの下方部に前記ボルト３７を貫通せしめナット３８、平座３９を介して接続する。しかる後前記架台ｅの上方部に前記押圧固定部６付き囲み部４からなるパネル固定体ｄを、頭部付きボルト４０を前記架台ｅより突設のボルト４０を前記押圧固定部６の貫通孔５より貫通して突出させ、前記ボルト４０にナット４１と平座４２とをもって螺着する。その際前記囲み部４の左右両サイドにソーラーパネルｃを配置する。配置後前記押圧固定部６を手指でつかみ、９０度回転せしめ、前記押圧固定部６が前記ソーラーパネルｃの上面を押圧するか、もしくは係止部３６に左右係止部１４、１５を嵌挿して係止せしめるものである。
【符号の説明】
【０１２７】
ａ      固定金具
ｂ      支承板体
ｃ      ソーラーパネル
ｄ      パネル固定体
ｅ      架台
ｓ      折板屋根材
Ｆ      タイトフレーム
ｇ      接続金具
ｋ      基礎
１      ボルト
１ａ    ボルト
１ｂ    頭部
２      上面部
３      貫通孔
４      囲み部
５      貫通孔
６      押圧固定部
６ａ    底部
６ｂ    ビード
７      ナット
７ａ    ナット
７ｂ    ワッシャー
８      左側端部
９      右側端部
１０    左折曲部
１０ａ  係止部
１１    右折曲部
１２    左端部
１３    右端部
１４    左係止部
１５    右係止部
１６    前端部
１７    後端部
２０    左側挾着部
２１    右側挾着部
２２    はぜ締め部
２３    凹部
２４    凹部
２５    嵌挿孔
２６    嵌挿孔
２７    内側支持部
２８    内側支持部
２９    アダプター
３０    貫通孔
３１    間隙部
３２    間隙部
３３    固定用板部
３４    支持枠部
３５    側面部
３６    係止部
３７    ボルト
３７ａ  ボルト
３８    ナット
３８ａ  ナット
３９    平座
３９ａ  平座
４０    ボルト
４１    ナット
４２    平座
【図１】
2011106093.tif 000003
【図２】
2011106093.tif 000004
【図３】
2011106093.tif 000005
【図４】
2011106093.tif 000006
【図５】
2011106093.tif 000007
【図６】
2011106093.tif 000008
【図７】
2011106093.tif 000009
【図８】
2011106093.tif 000010
【図９】
2011106093.tif 000011
【図１０】
2011106093.tif 000012
【図１１】
2011106093.tif 000013
【図１２】
2011106093.tif 000014
【図１３】
2011106093.tif 000015
【図１４】
2011106093.tif 000016
【図１５】
2011106093.tif 000017
【図１６】
2011106093.tif 000018
【図１７】
2011106093.tif 000019
【図１８】
2011106093.tif 000020
【図１９】
2011106093.tif 000021
【図２０】
2011106093.tif 000022
【図２１】
2011106093.tif 000023
【図２２】
2011106093.tif 000024
【図２３】
2011106093.tif 000025
【図２４】
2011106093.tif 000026
【図２５】
2011106093.tif 000027
【図２６】
2011106093.tif 000028
【図２７】
2011106093.tif 000029
【図２８】
2011106093.tif 000030
【図２９】
2011106093.tif 000031
【図３０】
2011106093.tif 000032
【図３１】
2011106093.tif 000033
【図３２】
2011106093.tif 000034
【図３３】
2011106093.tif 000035
【図３４】
2011106093.tif 000036
【図３５】
2011106093.tif 000037
【図３６】
2011106093.tif 000038
【図３７】
2011106093.tif 000039
【図３８】
2011106093.tif 000040
【図３９】
2011106093.tif 000041
【図４０】
2011106093.tif 000042
【図４１】
2011106093.tif 000043
【図４２】
2011106093.tif 000044
【図４３】
2011106093.tif 000045